(57)【要約】【課題】ゴミをしっかりと捕集することができ、しかも、ゴミが溜まっても水をさっと流すことのできる排水栓の構造を提供する。【解決手段】排水が流入される排水口に開閉可能に覆設される排水栓６において、排水栓６から垂設された支持軸１２の外周に、回転筒１３を回転可能に配置し、この回転筒１３には、ヘアキャッチャー１５と、その下方に羽根１７を一体形成し、排水を羽根１７に当ててヘアキャッチャー１５が回転するように構成する。【選択図】図４
2009068264.tif 000002
【特許請求の範囲】
【請求項１】
排水が流入される排水口に開閉可能に覆設される排水栓において、
該排水栓から垂設された支持軸の外周に、ヘアキャッチャーと、その下方に羽根を設けたことを特徴とする排水栓構造。
【請求項２】
前記支持軸の外周との間に隙間を形成させて前記ヘアキャッチャーから上方へ立ち上がる網目状の立上筒部を設けたことを特徴とする請求項１に記載の排水栓構造。
【請求項３】
前記立上筒部は、前記ヘアキャッチャーから上方へ向かって縮径するように傾斜していることを特徴とする請求項２に記載の排水栓構造。
【請求項４】
前記立上筒部の網目は、前記ヘアキャッチャーの網目と同じか細かいことを特徴とする請求項２または請求項３に記載の排水栓構造。
【発明の詳細な説明】
【技術分野】
【０００１】
本発明は、排水栓の構造に関するものである。
【背景技術】
【０００２】
従来、特許文献１に開示されているように、回転軸と回転羽根とヘアキャッチャーが一体成形され、ヘアキャッチャーの上部に回転羽根が配置されている構造の排水栓装置が存在する。
【特許文献１】特開平９−２６８６２３号公報
【発明の開示】
【発明が解決しようとする課題】
【０００３】
上記従来の排水栓装置は、排水時に渦を発生させて、エアの巻き込みによる不快音をなくしたり、排水能力低下を防ぐもので、ゴボゴボ音が出ないように構成したものであるが、回転羽根がヘアキャッチャーの上方に配置されているため、回転羽根が回転することにより、ゴミ等を巻き込み易く、回転羽根に髪の毛が引っ掛かってしまう恐れがあるという問題点があった。
【課題を解決するための手段】
【０００４】
本発明は、ゴミや髪の毛を良好にヘアキャッチャーに溜めることができ、しかも排水を良好に排出できる排水栓を提供することを目的とし、この目的の少なくとも一部を達成するために以下の手段を採った。
本発明は、排水が流入される排水口に開閉可能に覆設される排水栓において、該排水栓から垂設された支持軸の外周に、ヘアキャッチャーと、その下方に羽根を設けたことを要旨とする。
【発明の効果】
【０００５】
排水が羽根に当たり、羽根が回転するとともにヘアキャッチャーが回転するため、ゴミや髪の毛がヘアキャッチャー内の外周側に移動して中心部の網目から離れやすくなり、排水路が確保できるとともに、ヘアキャッチャーを上方へ取り出してゴミ等を除去する際に、ゴミや髪の毛がヘアキャッチャーから取り出し易くなる。また、回転によりヌメリ等も減らすことができるものとなる。
【０００６】
また、本発明の排水栓において、前記支持軸の外周との間に隙間を形成させて前記ヘアキャッチャーから上方へ立ち上がる網目状の立上筒部を設けて構成することもできる。
こうすれば、立上筒部はヘアキャッチャーよりも高い位置にあるため、ヘアキャッチャーに髪の毛やゴミが溜まった状態でも、立上筒部の網目を通し良好に排水を下方側へ排水できるものとなる。
【０００７】
また、本発明の排水栓構造において、前記立上筒部は、前記ヘアキャッチャーから上方へ向かって縮径するように傾斜している構成とすることもできる。
こうすれば、立上筒部が傾斜しているため、ヘアキャッチャーに溜まったゴミを捨てようとした時に網目からゴミが外れ易くなり、ゴミが捨て易いものとなる。
【０００８】
また、本発明の排水栓構造において、前記立上筒部の網目は、前記ヘアキャッチャーの網目と同じか細かい構成にすることもできる。
こうすれば、ヘアキャッチャーにゴミが溜まってヘアキャッチャーが詰まった状態で立上筒部に排水が押し寄せても、立上筒部の網目は細かいためにゴミの流出を阻止することができ、ゴミを良好に捕集することができるものとなる。
【発明を実施するための最良の形態】
【０００９】
次に、本発明の実施の形態を実施例を用いて説明する。
図１は、洗面化粧台の斜視構成図であり、洗面化粧台１は、キャビネット２の上面に洗面器３が設置されており、この洗面器３の底面３ｂには排水口４が設けられ、この排水口４から下方に延びてトラップ部５ａを備えた排水管５が接続されている。なお、排水口４の上面には開閉可能に排水栓６が覆設されている。
この排水栓６を上下方向に開閉させるために、洗面器３の上面３ａには操作部７が設けられている。また、操作部７の側方には、洗面器の上面３ａから立ち上げて水栓８が設けられている。
【００１０】
排水口および排水栓は、図２に拡大して示すように構成されている。
即ち、洗面器の底面３ｂには、縦方向に筒状に形成された排水口を形成する排水口部材４が貫通状に設けられており、排水口部材４の上端側はパッキン９が設けられ、また下端側からはパッキン１０を介在させてナット１１が締め付けられて、排水口部材４は洗面器の底面３ｂに固定されている。
この排水口部材４の上端に開口された排水口には、上下方向に開閉できるポップアップ式の排水栓６が取り付けられており、排水栓６の底面中央部から垂下状に支持軸１２が設けられ、この支持軸１２の外周には、図３に示すように筒状の回転筒１３が回転可能に配置されている。
【００１１】
この回転筒１３には、ヘアキャッチャー１５と、その下方に羽根１７が一体成形されており、また、ヘアキャッチャー１５から上方へ一体状に立ち上げて立上筒部１６が形成されている。また、支持軸１２の下端には、下端キャップ１４が嵌め込まれており、下端キャップ１４により回転筒１３の抜脱が防がれたものとなっている。
【００１２】
なお、図４には、回転筒１３を縦方向に切断した断面配置構成図を示す。
支持軸１２の外周に水平面内で回転可能に遊嵌された回転筒１３に一体形成されているヘアキャッチャー１５は、立上筒部１６と一体化されており、立上筒部１６は、回転筒１３の上部外周から下方側に向かって、回転筒１３の外周との間に隙間Ｓを形成させて次第に下方側へ拡径した傾斜状を成しており、この立上筒部１６の下端にヘアキャッチャー１５の凹み状の受け部１５ａが連続形成されており、受け部１５ａから外側へ向かって次第に上傾して椀部１５ｂが形成され、受け部１５ａと椀部１５ｂでヘアキャッチャー１５が構成されている。
【００１３】
このヘアキャッチャー１５の受け部１５ａおよび椀部１５ｂには、排水を通すことができ、且つ髪の毛やゴミを捕集することのできる網目が形成されている。また、連続状に立ち上げられた立上筒部１６にも排水を通す網目が形成されており、この立上筒部１６の網目は、ヘアキャッチャー１５の網目と同じか、より細かい網目で構成されている。即ち、ヘアキャッチャー１５の椀部１５ｂと受け部１５ａでゴミや髪の毛を良好に捕集することができ、受け部１５ａから連続して上方へ縮径状に形成された立上筒部１６でもゴミを捕集でき、且つ、立上筒部１６の網目を通し排水を良好に隙間Ｓ内に流すことができるものである。
このヘアキャッチャー１５の部分を上面から見た平面構成図を図５に示す。
【００１４】
また、ヘアキャッチャー１５の下方の回転筒１３の外周に一体形成されている羽根１７は、図６の平面図で示すように、回転筒１３の外周に等間隔で３枚の羽根が一体形成されており、各羽根は排水を受けて回転できるように、それぞれ湾曲形状に形成されている。
なお、図２において、洗面器３の上面３ａに取り付けられた操作部７からケーブル１８がキャビネット２内に引き伸ばされて、ケーブル１８の先端には軸１９を介して押上部２０が連結されており、操作部７を引き上げ操作することにより、ケーブル１８を介して押上部２０が上下動して、下端キャップ１４を上下方向に移動させることができ、これにより排水口部材４の上端の排水栓６が上下方向に開閉されるように構成されている。
【００１５】
次に、このように構成した排水栓の動作について説明する。
操作部７により排水栓６が上方へ開かれている状態においては、洗面器３内の排水が排水口部材４内に流入し、排水は立上筒部１６およびヘアキャッチャー１５の網目を通り下方側へ流下することとなる。この流下する排水が下方側に配置されている羽根１７に当たると、羽根１７が回転力を発生して、これにより支持軸１２の外周で回転筒１３が水平面内で回転されることとなる。
即ち、排水の流下により羽根１７が回転されることで、回転筒１３に一体形成されているヘアキャッチャー１５および立上筒部１６も水平面内で回転することとなる。
【００１６】
ヘアキャッチャー１５が支持軸１２を中心として水平面内で回転することにより、ヘアキャッチャーの受け部１５ａに溜まったゴミや髪の毛が遠心力で外周側に移動し、椀部１５ｂ側に移動することで、ゴミや髪の毛が中心部の網目から離れやすくなり、排水路が確保できるとともに、ヘアキャッチャー１５を上方へ取り出してゴミ等を除去する際に、ゴミが取り出し易いものとなる。
また、ヘアキャッチャー１５が回転することによる遠心力でヌメリ等も付き難くなり、排水口部材４内のヌルツキを減らすことができるものとなる。
【００１７】
なお、ヘアキャッチャー１５の受け部１５ａおよび椀部１５ｂ内に髪の毛やゴミが一杯に溜まったような状態でも、排水は上方の立上筒部１６に押し寄せて、この立上筒部１６の網目から隙間Ｓを通って良好に下方へ流下することができ、排水を良好に排出させることができるものとなる。また、この時に、立上筒部１６の網目がヘアキャッチャー１５の網目と同じか細かくなっていることで、ゴミが立上筒部１６の網目から流出することが防がれ、ヘアキャッチャー１５が詰まった状態でも、良好に立上筒部１６でゴミを捕集することができるものとなる。
なお、立上筒部１６は、上方へ向かって縮径するように傾斜しているため、回転筒１３を排水口部材４から上方へ引き上げて、ヘアキャッチャー１５に溜まったゴミや髪の毛を捨てようとする時にも、ゴミが網目から外れ易いものとなり、ゴミが捨て易くなる。
【００１８】
このように、本例の排水栓では、排水口部材４内に、上方にヘアキャッチャー１５と下方に羽根１７を一体形成した回転筒１３を回転可能に配置した構成であり、排水が流下することで羽根１７を介してヘアキャッチャー１５を回転させることができ、回転によりヌメリの発生を少なくできて、ゴミや髪の毛を良好にヘアキャッチャーで捕集することができ、しかもヘアキャッチャーにゴミが溜まった状態でも、立上筒部１６の網目から隙間Ｓを通して良好に排水することができ、排水がさっと流れて、従来のような排水の流れが遅くてイライラすることがなくなるものである。
【００１９】
なお、本例では、操作部７により排水栓６を上下方向に開閉させるポップアップ式の排水栓について例示しているが、ポップアップ式のものに限らず、操作部７やケーブル１８を備えない構造の排水栓６においても、同様に、支持軸１２の外周に、ヘアキャッチャー１５と下方に羽根１７を一体化させた回転筒１３を回転可能に設けて構成することができ、排水により羽根１７を介してヘアキャッチャー１５を回転させて、ゴミをしっかりキャッチできて、ゴミが溜まっても水がさっと流れる排水栓の構造を確保することができるものである。
【図面の簡単な説明】
【００２０】
【図１】洗面化粧台の斜視構成図である。
【図２】洗面化粧台に取り付けられた排水栓の拡大構成図である。
【図３】排水栓とヘアキャッチャーおよび羽根の外観拡大図である。
【図４】図３の縦断面構成図である。
【図５】ヘアキャッチャーを上面側から見た平面拡大構成図である。
【図６】羽根を上面側から見た平面拡大構成図である。
【符号の説明】
【００２１】
１  洗面化粧台
３  洗面器
３ａ  上面
３ｂ  底面
４  排水口部材（排水口）
５  排水管
６  排水栓
７  操作部
１２  支持軸
１３  回転筒
１４  下端キャップ
１５  ヘアキャッチャー
１５ａ  受け部
１５ｂ  椀部
１６  立上筒部
１７  羽根
【図１】
2009068264.tif 000003
【図２】
2009068264.tif 000004
【図３】
2009068264.tif 000005
【図４】
2009068264.tif 000006
【図５】
2009068264.tif 000007
【図６】
2009068264.tif 000008